(57)【要約】【課題】軽量で安価な衝撃緩和機能を具え、原稿圧着板の加速落下を確実に防止することができる原稿圧着板の開閉装置を提供する。【解決手段】上部が開放されると共に下部が底板により閉じられた筒状部材から成り、装置本体に装着されるヒンジケースと、該ヒンジケースに回動自在に取り付けられる回動部材と、上記筒状部材の内面に沿って上下に摺動するシリンダー部とその上部を覆う頂板部により成るスライダーと、上記頂板部と上記底板との間に弾発自在に納められる圧縮コイルスプリングと、上記筒状部材の内周面と上記シリンダー部の外周面との間をシールするシール手段と、上記底板の内面からこれに穿設されている吸気孔を塞ぐように設けられ、吸気孔からの吸気のみを許し、排気を阻止する弁部材から構成される。【選択図】図１
0003144248.tif 000002
【実用新案登録請求の範囲】
【請求項１】
上部が開放されると共に下部が底板により閉じられた筒状部材から成り、装置本体に装着されるヒンジケースと、該ヒンジケースに回動自在に取り付けられる回動部材と、上記筒状部材の内面に沿って上下に摺動するシリンダー部とその上部を覆う頂板部により成るスライダーと、上記頂板部と上記底板との間に弾発自在に納められる圧縮コイルスプリングと、上記筒状部材の内周面と上記シリンダー部の外周面との間をシールするシール手段と、上記底板の内面からこれに穿設されている吸気孔を塞ぐように設けられ、吸気孔からの吸気のみを許し、排気を阻止する弁部材から構成されることを特徴とする原稿圧着板の開閉装置。
【請求項２】
上記シール手段が、上記スライダーのシリンダー部の外面側に形成された周溝、あるいは、上記ヒンジケースの筒状部材の内面側に形成された周溝に嵌め込まれて、該筒状部材の内面、あるいは、シリンダー部の外面に密着することを特徴とする請求項１に記載の原稿圧着板の開閉装置。
【請求項３】
上記シール手段が、上記シリンダー部の外周面、あるいは、上記筒状部材の内周面に突設し、該筒状部材の内周面、あるいは、シリンダー部の外周面に密着するリング状突起であることを特徴とする請求項１に記載の原稿圧着板の開閉装置。
【請求項４】
上記弁部材の外方に連結部を介して固定部を一体的に形成し、該固定部を上記圧縮コイルスプリングにより上記底板に押し付け固定するように構成されることを特徴とする請求項１、２または３に記載の原稿圧着板の開閉装置。
【考案の詳細な説明】
【技術分野】
【０００１】
本考案は、原稿圧着板の加速落下を防止することができる原稿圧着板の開閉装置に関するものである。
【背景技術】
【０００２】
一般に、複写機やスキャナー等の原稿読み取り機能を具える機器には、原稿をコンタクトガラス面に押さえる（圧着する）ための原稿圧着板が開閉自在に設けられている。この原稿圧着板は、その圧着機能が十分にできるように、ある程度の重量を有する。
従って、この原稿圧着板を閉じる際、特に低角度になると原稿圧着板の重量による閉じる力が、開方向に働くスプリングの抵抗力に対して急速に増大し、原稿圧着板がコンタクトガラスに向かって加速落下して、機器本体に大きな衝撃を与える恐れがあり、その結果、精密機器を有する装置にとって深刻な問題となり、その衝撃を緩和する必要がある。
【０００３】
従来の原稿圧着板の開閉装置において、油圧ダンパーを組み込んで、原稿圧着板の閉じる際の衝撃を緩和するものがあった。（例えば、特許文献１参照）
【０００４】
しかし、上記油圧ダンパーは重くて高価であり、特に軽量で安価な開閉装置を実現する障害となっており、軽量で安価な緩衝機構の開発が要請されていた。
【特許文献１】実用新案登録第２５８９７１４号公報
【考案の開示】
【考案が解決しようとする課題】
【０００５】
本考案が解決しようとする課題は、軽量で安価な衝撃緩和機能を具え、原稿圧着板の加速落下を確実に防止することができる原稿圧着板の開閉装置を提供することにある。
【課題を解決するための手段】
【０００６】
本考案は、（実用新案登録請求の範囲が確定したら各請求項を挿入する）を特徴とする。
【考案の効果】
【０００７】
本考案の原稿圧着板の開閉装置は、軽量で安価な衝撃緩和機能を具え、原稿圧着板の加速落下を確実に防止することができるという利点がある。
【考案を実施するための最良の形態】
【０００８】
以下、本考案の実施例について図面を参照しながら説明する。
図１は、本考案装置の一実施例の断面図であって、１は複写機等の装置本体、２はヒンジケース、３は回動部材、４はヒンジピン、５はスライダー、６はシール手段、７は圧縮コイルスプリング、８は弁部材、９は原稿圧着板、および１０はコンタクトガラスである。
【０００９】
上記ヒンジケース２は、上部が開放されると共に下部が底板２ａにより閉じられた筒状部材２ｂから構成されている。該筒状部材２ｂは円筒が好ましいが、これに限定するものではない。
【００１０】
上記ヒンジケース２の上部には、支持部２ｃが一体的に設けられている。該支持部２ｃには、回動部材３がヒンジピン４を介して回動自在に枢着されている。
上記回動部材３には、原稿圧着板９が一体的に取り付けられ、上記コンタクトガラス１０に向けて開閉するようになっている。
【００１１】
上記スライダー５は、上記ヒンジケース２の筒状部材２ｂの内面に沿って、上下に摺動するシリンダー部５ａと、該シリンダー部５ａの上部を覆う頂板部５ｂによりキャップ状に形成されている。
【００１２】
上記スライダー５の頂板部５ｂと、上記ヒンジケース２の底板２ａとの間には、上記圧縮コイルスプリング７が弾発自在に納められていて、上記スライダー５の頂板部５ｂの上面（外面）に一体的に形成されているカムフォロアー５ｃを、上記回動部材３に一体的に形成されているカム部３ａに弾性的に押し付け、該回動部材３を（図１において）反時計回りに回動するように、言い換えると、原稿圧着板９を開方向に、附勢するようになっている。
【００１３】
上記シール手段６は、例えば、ゴム材、ウレタンなどのＯ−リング状のシーリングから成り、図１ａに拡大して示すように、上記スライダー５のシリンダー部５ａ外面側に形成された周溝に嵌め込まれていて、上記ヒンジケース２の筒状部材２ｂの内面に密着している。このシール手段６は、ヒンジケース２の筒状部材２ｂの内面側に形成した周溝（図示せず）に嵌め込んでもよい。
【００１４】
上記弁部材８は、上記ヒンジケース２の底板２ａの内面（上面）から、これに穿設されている吸気孔２ｄを塞ぐように設けられ、吸気孔２ｄからの吸気（外部からヒンジケース２内への空気の流入）のみを許し、排気（ヒンジケース２内から外部への空気の流出）を阻止する、いわゆるチェック弁（逆止弁）の機能を有する。
【００１５】
図１ｂから明らかなように、上記弁部材８の外方には連結部８ａを介して固定部８ｂが一体的に形成されていて、該固定部８ｂを上記圧縮コイルスプリング７により底板２ａに押し付け固定するようになっている。
【００１６】
本実施例の開閉装置は、以上のように構成されているので、原稿圧着板９が、図１に示す閉状態から図２（Ａ）に示す開状態に開く際には、上記スライダー５が、上記ヒンジケースの筒状部材２ｂ内を圧縮コイルスプリング７の弾発力により上昇する。該スライダー５が上昇すると、筒状部材２ｂ内の空気が負圧になり、図２（Ｂ）のように、弁部材８が開いて、底板２ａの吸気孔２ｄから外気が流入する。
【００１７】
次に、図２（Ａ）に示す開状態から、原稿圧着板９を閉じる方向（図において時計回り方向）に押し下げると、上記回動部材３のカム部３ａが、圧縮コイルスプリング７の弾発力に抗して、カムフォロアー５ｃ、すなわち、上記スライダー５を押し下げる。
該スライダー５が押し下げられると、上記ヒンジケース２の筒状部材２ｂの内周面と、スライダー５のシリンダー部５ａの外周面との間がシール手段６によりシールされていると共に、上記弁部材８は閉じた状態になっているので、筒状部材２ｂ内の空気が圧縮され、この圧縮空気の弾発力により上記スライダー５にダンパー機能が生じる。
【００１８】
図３は、上記原稿圧着板９が低角度にまで閉じられて、上記スライダー５が最も押し下げられた状態を示すもので、上記ダンパー機能が最高になる。
【００１９】
図４は、第２の実施例を示すもので、上記第１の実施例のシール部材６に代えて、上記スライダー５のシリンダー部５ａの外周面にリング状突起５ｄを突設し、上記ヒンジケース２の筒状部材２ｂの内周面とのシール効果を発揮させる。なお、上記スライダー５の摺動行程範囲内であれば、上記リング状突起５ｄに代えて、上記筒状部材２ｂの内周面にリング状突起を突設してもよい。なお、本実施例において、上記スライダー５を耐摩耗性で多少の弾性を有する材料、例えば、ナイロン、ポリアセタール、ＰＢＴなどの樹脂材料で構成することが好ましい。
【図面の簡単な説明】
【００２０】
【図１】本考案の開閉装置の一実施例を示す断面図である。
【図１ａ】図１の囲み円イ部分の拡大断面図である。
【図１ｂ】図１のヒンジケースの底板付近の拡大断面図（Ａ）、および弁部材の拡大平面図（Ｂ）である。
【図２】図１の開閉装置の作用説明図（Ａ）およびその底板付近の拡大断面図（Ｂ）である。
【図３】図１の開閉装置の作用説明図である。
【図４】本考案の開閉装置の第２の実施例を示す断面図（Ａ）およびその要部拡大断面図（Ｂ）である。
【符号の説明】
【００２１】
１    装置本体
２    ヒンジケース
２ａ  底板
２ｂ  筒状部材
２ｃ  支持部
２ｄ  吸気孔
３    回動部材
３ａ  カム部
４    ヒンジピン
５    スライダー
５ａ  シリンダー部
５ｂ  頂板部
５ｃ  カムフォロアー
５ｄ  リング状突起
６    シール手段
７    圧縮コイルスプリング
８    弁部材
８ａ  連結部
８ｂ  固定部
９    原稿圧着板
１０  コンタクトガラス
【図１】
0003144248.tif 000003
【図１ａ】
0003144248.tif 000004
【図１ｂ】
0003144248.tif 000005
【図２】
0003144248.tif 000006
【図３】
0003144248.tif 000007
【図４】
0003144248.tif 000008